(57)【特許請求の範囲】
【請求項１】
ドアや引き戸の窓開口に縦桟と横桟を取り付けしてガラスを嵌めるようにした窓縁において、縦桟と横桟はコーナー部に隙間が残る長さとし、この隙間には受け具を設けて該受け具から延びた２本の脚を縦桟又は横桟の空間に差し込んで固定し、受け具に形成した穴には概略Ｌ型のコーナー材から内側へ延びたピンを嵌着してコーナー材を両側に取り付けし、該コーナー材の縦部と横部の先端には開口を形成すると共に、この開口には縦桟と横桟の先端部を嵌めて連結したことを特徴とするドア等の窓縁。
【発明の詳細な説明】
【０００１】
【発明の属する技術分野】
本発明はドアや引き戸に設ける窓ガラスの窓縁に関するものである。
【０００２】
【従来の技術】
図４は一般的なドアの外観を表している具体例であり、該ドアは出入口に蝶番を介して開閉出来るように取り付けされている。そしてドアには同図に示すごとくガラス(イ) が設けられているが、同図（ｂ）にＡ−Ａ断面拡大図を示すようにドアの一部を開口して周囲には窓縁(ロ) を取り付けし、この窓縁(ロ) の内側に形成している溝にガスケット(ホ) を介してガラス(イ) を嵌めている。
【０００３】
上記窓縁(ロ) は縦桟(ハ) と横桟（ニ)から成って、その先端が互いに突き合わされて長方形に枠組されている。同図（ａ）のＢ部拡大図を（ｃ）に示すように、縦桟(ハ) と横桟（ニ)の先端は４５°に傾斜した突き合わせ面を成しているが、縦桟(ハ) と横桟（ニ)の突き合わせ面が正確に一致せずしてズレを生じ、先端の一部が突出して危険を伴うと共にドアの外観も損なわれる。縦桟(ハ) と横桟（ニ)は互いに連結されていない為に必然的にズレが発生し、その結果（ｃ）のような位置ズレを招く。
【０００４】
【本発明が解決しようとする課題】
このように従来の窓縁には上記のごとき問題がある。本発明が解決しようとする課題はこの問題点であり、窓縁を構成する縦桟と横桟が位置ズレしないで正確に配置されるようにし、又角張ったコーナーを被覆した窓縁を提供する。
【０００５】
【課題を解決するための手段】
本発明の窓縁は縦桟と横桟を枠組したものであり、窓縁の内側には溝が形成され、この溝に嵌められたガスケットを介してガラスが取り付けられる訳で、基本的な構造は従来と同じである。しかし縦桟と横桟がドアの窓開口に嵌められただけの状態では位置ズレする為に、すなわち縦桟と横桟は互いに連結されていない為に位置ズレを生じるが、本発明では縦桟と横桟のコーナー部にコーナー材を取り付けした構造としている。
【０００６】
ところで、縦桟と横桟は互いの突き合わせ面を有しておらず、概略Ｌ型をしたコーナー材は先端の開口に縦桟と横桟の先端部を嵌入して連結し、枠体を成す窓縁を構成する。コーナー材はＬ型をした板状のものであり、窓縁のコーナー部に両面側から嵌められる。そして両コーナー材を窓縁のコーナー部に位置決めして取り付けられるように受け具を備えている。受け具は縦桟又は横桟に固定され、コーナー材はこの受け具に取着されて窓縁のコーナー部に位置する。このようにコーナー材はドアの両面側から取り付けされ、縦横桟の単なる位置決め機能のみならず、角張ったコーナーをカバーする機能を備える。
【０００７】
【発明の実施の形態】
本発明の窓縁を構成する縦桟及び横桟の断面形状は特に限定せず、内側にはガスケットが嵌る溝が形成され、両側には側片を有している。両側片間距離はドア板の厚みと成っていて、窓開口の縁に嵌められる。コーナー材は概略Ｌ型を成した板状体であるが、片面側には縁を形成し、又嵌入ピンを裏側に突出している。受け具は縦桟又は横桟に取着される為に２本の脚を有して側片に当接した状態で取り付けられ、受け具に形成している穴にコーナー材のピンが嵌る。ここで、受け具を縦桟又は横桟に取着する具体的な手段は限定せず、上記２本の脚を嵌める場合に限定しない。又コーナー材をこの受け具に取り付けする手段も色々あり、ピンを受け具に形成した穴に嵌める場合に限らない。以下、本発明に係る実施例を図面に基づいて詳細に説明する。
【０００８】
【実施例】
図１（ａ）、（ｂ）は縦桟１と横桟２を窓開口の周囲に配置し、これにガスケット３を嵌めてガラス４を取り付けしている場合である。同図から明らかなように、縦桟１及び横桟２の両端は４５°の突き合わせ面を有しておらず、コーナー部には隙間５を残した状態と成っている。本発明ではこのコーナー部にコーナー材を取り付けして縦桟１と横桟２を位置決めし、同時にコーナー部の隙間５をカバーする。
【０００９】
図２は窓縁のコーナー部にコーナー材６を取り付けした場合である。コーナー材６は概略Ｌ型を成した板状態であり、窓縁の両側（表裏）に取り付けられ、縦桟１と横桟２の先端部を被覆すると共に、コーナー部に残されている隙間５をカバーする。しかし、コーナー材６はそれ単独で窓縁のコーナー部に取り付けすることは出来ない為に、隙間５に受け具７を嵌めてこの受け具７の両側に取り付けすることが出来る。
【００１０】
受け具７には２本の脚８、８が延びていて、両脚８、８は縦桟１の両側片９、９に当接して位置決めされている。この受け具７には穴１０が形成され、コーナー材６の内側へ延びているピン１１はこの穴１０に嵌って取り付けられている。ピン１１は間に溝を有して２つ割り状態とし、穴１０に嵌ることでバネ力が作用して抜けないようになっている。
【００１１】
図３はコーナー材６ａ、６ｂを取り付けする場合の展開図を表している。ドア本体に形成した窓開口に取り付けした縦桟１の空間１２、１２に脚８、８を挿入し、脚８、８は側片９、９に当接することで安定して取り付けられる。そして受け具７に形成した穴１０にはコーナー材６ａ、６ｂのピン１１ａ、１１ｂが嵌入する。ピン１１は中心軸に沿ってスリット溝が形成され、ピン１１はバネ性を備えて穴１０に嵌入することになり、外れにくくなる。
【００１２】
コーナー材６は同図に示すごとく概略Ｌ型を成し、縦部と横部の先端には開口１３、１３を有し、この開口には縦桟１及び横桟２の先端部が嵌ることになる。すなわち、ドア本体の窓開口に取り付けされた縦桟１と横桟２はその側片９、９…がドア表面から突出した状態となり、この側片９、９…がコーナー材６ａ、６ｂの開口１３、１３…に嵌ることが出来る。縦桟１と横桟２はその位置が多少ずれた場合であっても、開口１３、１３…に嵌っている限り位置ズレにより外観が損なわれることはない。
【００１３】
ところで、上記コーナー材６は受け具７に形成した穴１０にピン１１を嵌入して取り付けしているが、このような構造に限定するものではない。コーナー材６に板バネを取り付けしておき、この板バネにて受け具７を挟み込んで取り付けすることも出来る。以上述べたように、本発明の窓縁は縦桟と横桟のコーナー部にコーナー材を取り付けしたものであり、次のような効果を得ることが出来る。
【００１４】
【発明の効果】
本発明の窓縁は窓開口に取り付けした縦桟と横桟のコーナー部の隙間にコーナー材が取着され、縦桟及び横桟の先端部はコーナー材の開口に嵌って位置決め連結がなされ、縦桟及び横桟は正しく取り付けられる。従って縦桟及び横桟の先端は４５°に傾斜した突き合わせ面を形成する必要はなく、しかも取り付けしたコーナー材は丸みを有して従来のように角張っておらず、手が触れて怪我をすることもない。
【図面の簡単な説明】
【図１】窓開口に取り付けした縦桟と横桟。
【図２】縦桟と横桟のコーナー部にコーナー材を取り付けした実施例。
【図３】コーナー材を窓縁の縦桟に取り付けする構造。
【図４】従来の窓縁の取り付け構造。
【符号の説明】
１  縦桟
２  横桟
３  ガスケット
４  ガラス
５  隙間
６  コーナー材
７  受け具
８  脚
９  側片
10  穴
11  ピン
12  空間
13  開口
【図１】
0004088848.tif 000002
【図２】
0004088848.tif 000003
【図３】
0004088848.tif 000004
【図４】
0004088848.tif 000005